(57)【特許請求の範囲】
【請求項１】
建物躯体の開口部に取り付けられる免震式サッシ枠であって、
上枠と下枠と１対の竪枠とを有し、これら各枠のそれぞれの端部を連結して成る矩形枠状の枠本体と、前記建物躯体の開口部の上辺を構成する上部躯体と同じく下辺を構成する下部躯体とのうちの一方の躯体に固定されたスライドレールとを備え、
前記上枠と前記下枠とのうちの一方の枠は、前記スライドレールをその内部に収納した状態で、このスライドレールに対してその長さ方向への相対移動のみを可能に係合しており、このスライドレールの全長は、前記上枠と前記下枠とのうちの一方の枠の全長よりも短く、このスライドレールの長さ方向両側にはそれぞれ変位吸収部材が設けられており、
前記上枠と前記下枠とのうちの他方の枠は、前記上部躯体と前記下部躯体とのうちの他方の躯体に対して固定されており、
前記各竪枠は、前記建物躯体の開口部の側辺を構成する側部躯体に対して固定されておらず、これら各側部躯体との間に隙間が設けられており、
前記上部躯体と前記下部躯体とが水平方向に相対変位した場合に、前記上枠と前記下枠とのうちの一方の枠が、前記スライドレールに対してその長さ方向に相対移動する事で、前記枠本体の全体形状が矩形枠状に維持されると共に、前記スライドレールと前記枠本体の一部又はこの枠本体に固定した部材との間で前記各変位吸収部材を圧縮変形させる事を特徴とする免震式サッシ枠。
【請求項２】
建物躯体の開口部に取り付けられる免震式サッシ枠であって、
上枠と下枠と１対の竪枠とを有し、これら各枠のそれぞれの端部を連結して成る矩形枠状の枠本体と、前記建物躯体の開口部の上辺を構成する上部躯体と同じく下辺を構成する下部躯体とのうちの一方の躯体に固定されたスライドレールとを備え、
このスライドレールは、本体板部と、この本体板部の幅方向両端寄り部分に、それぞれの開口部を反対側に向けた状態で形成された１対の保持部及び１対のガイド溝とを有し、これら各保持部にはそれぞれ滑り材が保持されており、
前記上枠と前記下枠とのうちの一方の枠は、屋内外方向に離隔した１対の側壁から互いに近づく方向に向けて突出した１対の突条を有しており、前記スライドレールをその内部に収納した状態で、これら各突条を前記各ガイド溝に係合させる事により、前記各保持部に保持された前記各滑り材の先端面を前記各側壁の側面にそれぞれ摺接可能に当接させると共に、前記スライドレールに対してその長さ方向への相対移動のみを可能に係合しており、
前記上枠と前記下枠とのうちの他方の枠は、前記上部躯体と前記下部躯体とのうちの他方の躯体に対して固定されており、
前記各竪枠は、前記建物躯体の開口部の側辺を構成する側部躯体に対して固定されておらず、これら各側部躯体との間に隙間が設けられており、
前記上部躯体と前記下部躯体とが水平方向に相対変位した場合に、前記上枠と前記下枠とのうちの一方の枠が、前記スライドレールに対してその長さ方向に相対移動する事で、前記枠本体の全体形状が矩形枠状に維持される事を特徴とする免震式サッシ枠。
【請求項３】
前記上枠及び前記下枠の両端部にそれぞれ固定されたコーナー補強片と、前記各竪枠にそれぞれ固定された竪枠補強枠の端部とが連結されている、請求項１〜２のうちの何れか１項に記載した免震式サッシ枠。
【請求項４】
前記一方の枠が上枠であり、この上枠に設けられた収納空間内に、前記スライドレールが屋内外方向に関する相対変位を不能に収納されている、請求項１〜３のうちの何れか１項に記載した免震式サッシ枠。
【発明の詳細な説明】
【技術分野】
【０００１】
本発明は、建物躯体の開口部に取り付けられる窓枠等のサッシ枠の改良に関する。具体的には、地震発生時に、サッシ枠の上下に存在する上部躯体と下部躯体とが水平方向に相対変位（層間変位）した場合にも、サッシ枠、延いてはこのサッシ枠の内側に建て込んだ障子等の建具が破損する事を防止する為に利用する、免震式のサッシ枠に関する。
【背景技術】
【０００２】
採光、換気、或いは室内からの出入り等の為に、建物躯体の開口部に窓装置を設ける事が行われている。図９は、この様な窓装置１の１例を示している。この窓装置１は、窓枠２と、この窓枠２の内側に引き違い式に建て込まれた１対のガラス障子３ａ、３ｂとから構成されている。
【０００３】
このうちの窓枠２は、水平方向に配置されて上辺を構成する上枠４と、同じく水平方向に配置されて下辺を構成する下枠５と、鉛直方向に配置されて左右の縦辺を構成する１対の竪枠６、６とから成り、これら各枠４〜６のそれぞれの端部を連結する事により矩形枠状に構成されている。これら各枠４〜６は、アルミニウム合金の押し出し成形材製である。このうちの上枠４は、この上枠４の上方に設けられ、建物躯体の開口部７の上辺を構成する上階躯体８に固定されている。又、前記下枠５は、この下枠５の下方に設けられ、前記開口部７の下辺を構成する下階躯体９に固定されている。又、前記各竪枠６、６は、これら各竪枠６、６の側方に設けられ、前記開口部７の側辺を構成する側部躯体１０、１０にそれぞれ固定されている。従って、この様な従来構造の窓装置１の場合、前記各枠４〜６は何れも、建物躯体（上階躯体８、下階躯体９及び側部躯体１０）に対して相対移動する事はできない。尚、本明細書中で上階躯体とは、窓枠等のサッシ枠の上方に設けられた上部躯体のうちで、サッシ枠が取り付けられる対象フロアの天井及び上階フロアの床を構築する為の躯体として利用されるものを言い、同じく下階躯体とは、サッシ枠の下方に設けられた下部躯体のうちで、少なくともサッシ枠が取り付けられる対象フロアの床を構築する為の躯体として利用されるものを言う。
【０００４】
前記両ガラス障子３ａ、３ｂは、それぞれの下辺に設けた各戸車を、前記下枠５の上面に設けた下部案内レールに係合させると共に、上端部に設けたガイドブロックを、前記上枠４に設けた上部案内レールに係合させる事により、前記窓枠２の内側に、水平移動可能に建て込まれている。
【０００５】
上述の様な構造を有する従来構造の窓装置１の場合、地震発生時に、次の様な問題を生じる可能性がある。
地震発生時には、建物が振動させられ、前記上階躯体８と前記下階躯体９とが層間変位する事が知られている。そして、この様に上階躯体８と下階躯体９とが層間変位した場合、図１０に誇張して示す様に、この上階躯体８に固定された前記上枠４と、前記下階躯体９に固定された前記下枠５とが、これら上階躯体８及び下階躯体９と共に、面内方向（図１０の左右方向）で逆向きに変位する。これにより、前記両竪枠６、６が鉛直方向に対して傾き、前記窓枠２が本来の矩形枠状から平行四辺形枠状に歪む可能性がある。この結果、この窓枠２が破損する可能性があると共に、この窓枠２の内側に建て込まれたガラス障子３ａ、３ｂ（図９等参照）の開閉動作が不能になったり、最悪の場合には、これら各ガラス障子３ａ、３ｂが破損する（特にガラスパネルが破損する）可能性もある。
尚、この様な問題は、引き違い式のガラス障子を建て込む窓枠に限らず、片引き式の障子等の引戸を建て込む窓枠、内開き戸又は外開き戸等の開き戸を組み込む窓枠、ガラスパネルを直接固定する固定式の窓枠や、戸枠等のサッシ枠でも生じる可能性がある。
【０００６】
尚、本発明に関連する先行技術文献として、例えば特許文献１に記載された発明がある。この特許文献１には、地震発生時に、窓枠の内側に建て込んだ障子が開閉できなくなる事を防止する為に、窓枠を、外周枠と内周枠とを互いに相対変位可能に組み合わせた二重枠構造とする事が記載されている。この様な構造によれば、地震発生時に、このうちの外周枠のみを建物躯体と共に変位させて、内周枠を変位させずに済む。この為、この内周枠の内側に建て込んだ障子が開閉できなくなる事を防止できる。但し、この様な特許文献１に記載された構造の場合、枠材を二重に重ねる状態で窓枠を構成する為、窓枠の開口部が狭くなったり（開口面積が小さくなったり）、コストが嵩むと言った不都合を生じる可能性がある。
【先行技術文献】
【特許文献】
【０００７】
【特許文献１】特開平９−１３８２８号公報
【発明の概要】
【発明が解決しようとする課題】
【０００８】
本発明は、上述の様な事情に鑑みて、地震発生時に、窓枠等のサッシ枠の上下に存在する上部躯体と下部躯体とが層間変位した場合にも、サッシ枠、延いてはこのサッシ枠の内側に建て込んだ建具が破損する事を防止できる構造を実現すべく発明したものである。又、本発明は、この様な構造を、サッシ枠の開口部を狭くする事なく、低コストで実現する事を目的とする。
【課題を解決するための手段】
【０００９】
本発明のうち請求項１に記載した免震式サッシ枠は、建物躯体の開口部に取り付けられるもので、枠本体と、スライドレールとを備える。
このうちの枠本体は、上枠と下枠と１対の竪枠とを有し、これら各枠のそれぞれの端部を連結して成るものであり、矩形枠（角部が直角状の四角形枠、方形枠）状に構成されている。
一方、前記スライドレールを、前記建物躯体の開口部の上辺を構成する上部躯体と同じく下辺を構成する下部躯体とのうちの一方の躯体に固定している。
又、前記上枠と前記下枠とのうちの一方の枠を、前記スライドレールをその内部に収納した状態で、このスライドレールに対してその長さ方向への相対移動（面内方向への移動）のみを可能に係合させている。又、このスライドレールの全長は、前記上枠と前記下枠とのうちの一方の枠の全長よりも短く、このスライドレールの長さ方向両側にはそれぞれ変位吸収部材が設けられている。
又、前記上枠と前記下枠とのうちの他方の枠を、前記上部躯体と前記下部躯体とのうちの他方の躯体に対して固定している。
又、前記各竪枠を、前記建物躯体の開口部の側辺を構成する側部躯体に対して固定せずに、これら各側部躯体との間に隙間を設けている。これにより、前記各竪枠を、これら各側部躯体に対する相対変位を可能としている。
そして、前記上部躯体と前記下部躯体とが水平方向に相対変位（層間変位）した場合に、前記上枠と前記下枠とのうちの一方の枠を、前記スライドレールに対してその長さ方向に相対移動させる事で、前記枠本体の全体形状を矩形枠状に維持する。又、前記スライドレールと、前記枠本体の一部又はこの枠本体に固定した部材との間で、前記各変位吸収部材を圧縮変形させる（押し潰す）。
この様な変位吸収部材としては、例えばゴムや合成樹脂をブロック状に形成したものや、板バネ等のバネを利用する事もできる。
【００１０】
又、請求項２に記載した免震式サッシ枠も、建物躯体の開口部に取り付けられるもので、枠本体と、スライドレールとを備える。
このうちの枠本体は、上枠と下枠と１対の竪枠とを有し、これら各枠のそれぞれの端部を連結して成るものであり、矩形枠（角部が直角状の四角形枠、方形枠）状に構成されている。
一方、前記スライドレールを、前記建物躯体の開口部の上辺を構成する上部躯体と同じく下辺を構成する下部躯体とのうちの一方の躯体に固定している。
前記スライドレールは、本体板部と、この本体板部の幅方向両端寄り部分に、それぞれの開口部を反対側に向けた状態で形成された１対の保持部及び１対のガイド溝とを有し、これら各保持部にはそれぞれ滑り材が保持されている。
又、前記上枠と前記下枠とのうちの一方の枠を、屋内外方向に離隔した１対の側壁から互いに近づく方向に向けて突出した１対の突条を有するものとし、前記スライドレールをその内部に収納した状態で、これら各突条を前記各ガイド溝に係合させる事により、前記各保持部に保持された前記各滑り材の先端面を前記各側壁の側面にそれぞれ摺接可能に当接させると共に、前記スライドレールに対してその長さ方向への相対移動のみを可能に係合させている。
又、前記上枠と前記下枠とのうちの他方の枠を、前記上部躯体と前記下部躯体とのうちの他方の躯体に対して固定している。
又、前記各竪枠を、前記建物躯体の開口部の側辺を構成する側部躯体に対して固定せずに、これら各側部躯体との間に隙間を設けている。これにより、前記各竪枠を、これら各側部躯体に対する相対変位を可能としている。
そして、前記上部躯体と前記下部躯体とが水平方向に相対変位（層間変位）した場合に、前記上枠と前記下枠とのうちの一方の枠を、前記スライドレールに対してその長さ方向に相対移動させる事で、前記枠本体の全体形状を矩形枠状に維持する。
又、請求項２に記載した発明を実施する場合には、前記本体板部を平板状とし、前記各保持部及び前記各ガイド溝を断面略コ字形とする事ができる。又、これら各ガイド溝を、前記本体板部の幅方向両端部下面と前記各保持部の上面との間にそれぞれ形成する事ができる。
前記滑り材としては、例えばポリアミド樹脂（ポリアミド６、ポリアミド６６）等の合成樹脂や、フッ素樹脂等の合成樹脂製の低摩擦材を利用できる。或いは、摩擦係数の低い表面被膜（コーティング被膜）等を利用する事もできる。又、前記滑り材は、前記上枠と前記スライドレールとの両方に設ける事ができる。又、前記滑り材は、この滑り材を設ける保持部の全長に亙って設ける事もできるし、部分的に（ピースで）設ける事もできる。
【００１１】
又、本発明を実施する場合に好ましくは、例えば請求項３に記載した発明の様に、前記上枠及び前記下枠の両端部にそれぞれ固定したコーナー補強片と、前記各竪枠にそれぞれ固定した竪枠補強枠の端部とを連結する。
【００１２】
又、本発明を実施する場合に好ましくは、例えば請求項４に記載した発明の様に、前記一方の枠を上枠とし、この上枠に設けられた収納空間内に、前記スライドレールを屋内外方向（面外方向）に関する相対変位を不能に（がたつきなく）収納する。
【発明の効果】
【００１３】
上述の様に構成する本発明によれば、地震発生時に、窓枠等のサッシ枠の上下に設けられる上部躯体と下部躯体とが層間変位した場合にも、サッシ枠、延いてはこのサッシ枠の内側に組み込んだ建具が破損する事を有効に防止できる。又、この様な構造を、サッシ枠の開口部を狭くする事なく、低コストで実現できる。
即ち、本発明の免震式サッシ枠の場合には、枠本体を構成する上枠と下枠とのうちの一方の枠を、上部躯体と下部躯体とのうちの一方の躯体に固定されたスライドレールに対して、その長さ方向に相対移動可能に係合させている。この為、地震発生時に、前記上部躯体と前記下部躯体とが水平方向に相対変位（層間変位）した場合に、前記一方の枠を、前記スライドレールに対してその長さ方向に相対移動させる事で、この一方の枠を、前記一方の躯体の動きに追従させずに、他方の躯体の動きにのみ追従させる事ができる。この為、前記上部躯体と前記下部躯体との層間変位に拘わらず、前記枠本体の全体形状を矩形枠状に維持できる。この結果、この枠本体が破損する事を有効に防止できると共に、この枠本体の内側に建て込んだ障子等の建具の開閉動作が行えなくなったり、この建具が破損する事も有効に防止できる。
又、本発明の免震式サッシ枠は、前記スライドレールを前記一方の枠の内部に収納している為、前記上枠と前記下枠との間の開口寸法が小さくなる事を防止できる。この為、枠本体の開口部が狭くなる（開口面積が小さくなる）事を防止できる。又、本発明の免震式サッシ枠は、前記スライドレールを設ける以外に、特別に新たな部材を必要とせず、又、構造を徒らに複雑化しなくて済む為、低コストで実現できる。
【００１４】
又、前述した請求項２に記載した発明によれば、前記上枠と前記下枠とのうちの一方の枠と前記スライドレールとを、滑らかに（スムーズ）に相対変位させられる。又、相対変位する際の擦れ音等の異音が発生する事も防止できる。
【００１５】
又、前述した請求項１に記載した発明によれば、前記スライドレールと前記枠本体との相対変位を減衰吸収できる。又、衝突音等の異音が発生する事も防止できる。
【００１６】
又、前述した請求項３に記載した発明によれば、前記枠本体の剛性を高める事ができる。この為、この枠本体を矩形枠状に維持し易くなる。
【００１７】
更に、前述した請求項４に記載した発明によれば、前記上枠を前記スライドレールに対して地震の大きさに応じて有効に相対移動させる事ができる。即ち、これら上枠とスライドレールとの係合部分には、下枠とスライドレールとを係合させるとした場合に加わる様な、枠本体及びこの枠本体の内側に建て込まれる建具等の重量が加わらずに済む。この為、前記上枠を前記スライドレールに対して地震の大きさに応じて有効に相対移動させる事ができる。
又、建具に吹き付ける風等による風圧によって、前記上枠が前記スライドレールに対して屋内外方向（面外方向）に変位する（がたつく）事を防止できる。
【図面の簡単な説明】
【００１８】
【図１】本発明の実施の形態の１例の窓装置を屋内側から見た状態で示す略正面図。
【図２】同じく図１のＡ−Ａ断面に相当する縦断面図。
【図３】同じく図１のＢ−Ｂ断面に相当する横断面図。
【図４】同じく図１のＣ部に相当する拡大図。
【図５】同じく図２のＤ部拡大図。
【図６】同じく図４相当部分を屋内側且つ上方から見た状態で示す部分切断斜視図。
【図７】同じく上枠とスライドレールと変位吸収部材のみを取り出して示す縦断面図。
【図８】同じく変位吸収部材のみを取り出して示す斜視図。
【図９】従来構造の窓装置を屋内側から見た状態で示す略正面図。
【図１０】同じくガラス障子を省略して上階躯体と下階躯体とが層間変位した状態を誇張して示す略正面図。
【発明を実施するための最良の形態】
【００１９】
［実施の形態の１例］
図１〜８は、総ての請求項に対応する、本発明の実施の形態の１例を示している。本例は、本発明の免震式サッシ枠を、窓装置に適用した場合に就いて示している。本例の場合にも、窓装置１ａを、窓枠２ａと、この窓枠２ａの内側に引き違い式に建て込んだ１対のガラス障子３ａ、３ｂとから構成している。
【００２０】
このうちのガラス障子３ａ、３ｂは、従来から知られているものと同様に、それぞれの上辺を構成する上框１１ａ、１１ｂと、同じく下辺を構成する下框１２ａ、１２ｂと、それぞれが左右の縦辺を構成する竪框である、召し合わせ框１３ａ、１３ｂ及び突き合わせ框１４ａ、１４ｂとにより、ガラスパネル１５ａ、１５ｂの四辺を囲んで成る。
【００２１】
一方、本例の場合には、前記窓枠２ａを、枠本体１６と、スライドレール１７とから構成している。このうちの枠本体１６は、水平方向に配置されて上辺を構成する上枠４ａと、同じく水平方向に配置されて下辺を構成する下枠５ａと、鉛直方向に配置されて左右の縦辺を構成する１対の竪枠６ａ、６ａとから成る。又、前記枠本体１６は、これら各枠４ａ〜６ａのそれぞれの端部同士を、タッピングねじ等を用いて連結する（上枠４ａ及び下枠５ａの端面を竪枠６ａ、６ａの内面に突き当てた状態で連結する）事により、矩形枠（角部が直角状である四角枠）状に構成されている。又、これら各枠４ａ〜６ａは、それぞれアルミニウム合金の一体押し出し成形材製である。
【００２２】
前記スライドレール１７は、アルミニウム合金の一体押し出し成形材製或いはステンレス鋼製等の金属製であり、その全長は、前記上枠４ａ及び前記下枠５ａの全長よりも短い（上枠４ａ及び下枠５ａの全長の２／３〜４／５倍程度である）。又、前記スライドレール１７は、本体板部１８と、１対の保持部１９ａ、１９ｂと、１対のガイド溝２０ａ、２０ｂと、立壁部２１と、固定溝２２とを有する。このうちの本体板部１８は、平板状で、建物躯体の開口部７の上辺を構成する上階躯体８の下面に対して平行に配置されている。又、前記各保持部１９ａ、１９ｂは、それぞれ断面略コ字形に形成されており、それぞれの開口部を反対側（それぞれ屋内側及び屋外側）に向けた状態で、前記本体板部１８の下面の幅方向両端寄り部分に設けられている。又、前記各ガイド溝２０ａ、２０ｂは、前記本体板部１８の幅方向両端部下面と、前記各保持部１９ａ、１９ｂの上面との間部分にそれぞれ形成されている。又、前記立壁部２１は、前記本体板部１８の上面の屋外寄り部分に立設する状態で設けられている。又、前記固定溝２２は、この本体板部１８の上面に幅方向に離隔した状態で形成された１対の係合片２３ａ、２３ｂ同士の間部分に設けられており、上端開口部の幅が下側部分の幅よりも小さくなっている。この様な構成を有する、前記各保持部１９ａ、１９ｂと、前記各ガイド溝２０ａ、２０ｂと、前記立壁部２１と、前記固定溝２２とは、前記本体板部１８の全長に亙り設けられている。
【００２３】
又、前記各保持部１９ａ、１９ｂには、滑り材２４、２４が保持されている。これら各滑り材２４、２４は、ポリアミド樹脂（ポリアミド６、ポリアミド６６）等の合成樹脂から成る低摩擦材製で、シールや接着材等の接着手段により、前記各保持部１９ａ、１９ｂの内側に接着固定されている。又、本例の場合、前記各滑り材２４、２４として長尺のものを使用し、これら各滑り材２４、２４を前記各保持部１９ａ、１９ｂの全長に亙り設けている。
【００２４】
そして、本例の場合には、上述の様なスライドレール１７を、前記上階躯体８の下面に対して、この上階躯体８に対する相対変位を不能に固定している。具体的には、前記本体板部１８の上方に形成された固定溝２２内に複数のアンカー２５の基部を固定した状態で、これら各アンカー２５の一部を前記上階躯体８の下面に対し溶接している。又、前記スライドレール１７の上面と前記上階躯体８の下面との間部分に、モルタル２６を充填している。これにより、前記スライドレール１７を前記上階躯体８に対して相対変位を不能に固定している。尚、前記モルタル２６は、前記スライドレール１７や後述するシール４５のバックアップ材等（図示省略）により堰き止められ、前記上枠４ａまではまわらない。
【００２５】
そして、前記枠本体１６を構成する上枠４ａを、この上枠４ａの上方に位置する前記上階躯体８に対して固定（直接固定）する事なく、この上階躯体８に固定された前記スライドレール１７をその内部に収納した状態で、このスライドレール１７に対してその長さ方向（面内方向であり、図１、３、４、６の左右方向、図２、５、７の表裏方向）への移動のみを可能に係合させている。
【００２６】
この為に、前記上枠４ａのうちで、その下面に１対の上部案内レール２７ａ、２７ｂを設けた基板部２８の上方に収納空間２９を形成している。具体的には、前記上枠４ａを構成する屋外側壁３０及び屋内側壁３１の上部を、前記基板部２８よりも上方に延出させる事で、これら基板部２８と屋外側壁３０と屋内側壁３１とにより三方を囲まれた部分に、上方が開口した前記収納空間２９を形成している。又、前記屋内側壁３１の上端部に、屋外側に向けて折れ曲がった屋内側突条３２を形成すると共に、前記屋外側壁３０の屋内側面のうちでこの屋内側突条３２と同じ高さ位置に、屋内側に向けて突出する屋外側突条３３を形成している。これら屋内側突条３２及び屋外側突条３３の板厚は、前記各ガイド溝２０ａ、２０ｂの溝幅よりも僅かに小さく、同じく突出量は、これら各ガイド溝２０ａ、２０ｂの溝深さよりも僅かに小さい。又、前記基板部２８の上面から前記屋内側突条３２及び屋外側突条３３の下面までの高さ寸法を、前記スライドレール１７の保持部１９ａ、１９ｂをがたつきなく挿入可能な大きさとしている。又、前記屋外側壁３０の上端部を屋内側にクランク形に折り曲げて、その屋内側端部に垂直方向に立設した補助壁３４を設けている。
【００２７】
そして、上述の様に構成する前記上枠４ａの収納空間２９内に、前述の様に構成する前記スライドレール１７を収納する。即ち、この上枠４ａを構成する前記屋外側壁３０と前記屋内側壁３１とで前記スライドレール１７を挟持する様にして、前記各ガイド溝２０ａ、２０ｂに前記屋内側、屋外側各突条３２、３３を係合させると共に、前記基板部２８の上面と前記屋内側、屋外側突条３２、３３の下面との間部分に前記各保持部１９ａ、１９ｂ（及び滑り材２４、２４）を挿入する。この様な収納作業は、前記窓枠２ａ（枠本体１６）を構成するサッシ材を造る工場等で、前記上枠４ａの端部を前記各竪枠６ａ、６ａの端部と連結する以前に、前記スライドレール１７をこの上枠４ａの端部から挿入する事により行う。又、この様に収納した状態で、前記補助壁３４の屋内側面を前記立壁部２１の屋外側面に当接乃至近接対向させる。又、前記各滑り材２４、２４の先端面を、前記屋外側壁３０の屋内側面及び前記屋内側壁３１の屋外側面に、それぞれ摺接可能に当接させる。
【００２８】
施工現場では、前記スライドレール１７を、前記上枠４ａの長さ方向中央位置に規制した状態で（本例の場合には、スライドレール１７の両側部分に、後述する変位吸収部材４３を設置する事で、このスライドレール１７の位置決めが図られている）、このスライドレール１７を前記上階躯体８の下面に対して固定する。これにより、前記上枠４ａが、このスライドレール１７に対してその長さ方向への相対移動のみを可能に係合した状態で、前記上階躯体８に支持される。又、前記上枠４ａの屋外寄り部分の上面と、この上階躯体８の下面との間部分を、シール４５により塞ぐ。
【００２９】
一方、前記枠本体１６を構成する下枠５ａは、この下枠５ａの下方に設けられ、前記開口部７の下辺を構成する下階躯体９の上面に対し固定している。この為に、この下枠５ａの下面に形成した固定溝３５に複数のアンカー２５ａの基部を固定した状態で、これら各アンカー２５ａの一部を前記下階躯体９の上面に溶接している。又、前記下枠５ａの下面とこの下階躯体９の上面との間部分に、モルタル２６ａを充填している。これにより、前記下枠５ａをこの下階躯体９に対して相対変位を不能に固定している。
【００３０】
又、前記枠本体１６を構成する両竪枠６ａ、６ａは、前記開口部７の側辺を構成する側部躯体１０、１０に対し固定しておらず、これら各側部躯体１０、１０との間にそれぞれ隙間４６、４６を設けている。これにより、前記各竪枠６ａ、６ａを、これら各側部躯体１０、１０に対する相対変位を可能としている。
【００３１】
以上の様に、本例の枠本体１６は矩形枠状に構成されている。又、この枠本体１６の上辺を構成する上枠４ａは、前記上階躯体８に固定された前記スライドレール１７に対してその長さ方向に関する相対移動のみを可能に係合しており、同じく下辺を構成する下枠５ａは前記下階躯体９に固定されており、同じく左右の縦辺を構成する１対の竪枠６ａ、６ａは前記各側部躯体１０、１０に対して相対変位を可能とされている。
【００３２】
又、本例の場合には、それぞれがアルミニウム合金の押し出し成形材製の各枠４ａ〜６ａを組み合わせて成る前記枠本体１６の剛性を高めるべく、この枠本体１６を補強している。具体的には、前記上枠４ａ及び前記下枠５ａの両端部に、コーナー補強片３６をそれぞれ固定すると共に、前記各竪枠６ａ、６ａの外側（側部躯体１０側）に竪枠補強枠３７、３７をそれぞれ固定し、これらコーナー補強片３６と竪枠補強枠３７、３７の端部とをそれぞれ連結（接合）している。
尚、前記上枠４ａの端部に固定するコーナー補強片３６と、前記下枠５ａの端部に固定するコーナー補強片とは、互いに異なる構造（形状）を有するが、その機能はほぼ同じである。この為、図示並びに説明は、前記上枠４ａの端部に固定するコーナー補強片３６に関してのみ行う。
【００３３】
前記各コーナー補強片３６は、ステンレス等の鋼板製で、塞ぎ板部３８と、１対の取付板部３９ａ、３９ｂと、押付板部４０とを備える。このうちの塞ぎ板部３８は、前記上枠４ａへの取付状態で、前記収納空間２９をその上方から覆う。又、前記両取付板部３９ａ、３９ｂは、前記塞ぎ板部３８の幅方向（屋内外方向）両端部からそれぞれ下方及び上方にほぼ直角に折れ曲がる状態で形成されている。又、前記押付板部４０は、前記塞ぎ板部３８の長さ方向一端部から上方にほぼ直角に折れ曲がる状態で形成されている。そして、この様な構成を有するコーナー補強片３６は、前記塞ぎ板部３８により前記収納空間２９の上方（開口部）を覆った状態で、屋内側の取付板部３９ａを前記屋内側壁３１に、屋外側の取付板部３９ｂを前記補助壁３４に、それぞれねじ４１、４１を利用して固定する事で、前記上枠４ａの端部に固定されている。
【００３４】
又、前記各竪枠補強枠３７、３７は、ステンレス等の鋼板製で、断面略コ字形であり、その全長は前記各竪枠６ａ、６ａの全長とほぼ同じである。この様な竪枠補強枠３７、３７は、複数のねじ４１ａ、４１ａを利用して、前記各竪枠６ａ、６ａの外側に固定されている。又、この様な竪枠補強枠３７、３７と前記各側部躯体１０、１０との間部分には、ロックウール４２を充填している。尚、この様に前記各竪枠補強枠３７、３７と前記各側部躯体１０、１０との間部分にロックウール４２を充填した場合にも、前記各竪枠６ａ、６ａと前記各側部躯体１０、１０とは、前記各隙間４６、４６の大きさの分だけ相対変位する事が可能である。
【００３５】
尚、前記上枠４ａ（及び前記下枠５ａ）の端部に固定したコーナー補強片３６の端部（塞ぎ板部３８の長さ方向他端部及び取付板部３９ａの屋外側面）と、前記各竪枠６ａ、６ａに固定した竪枠補強枠３７、３７の端部とは、それぞれ溶接により連結（接合）されている。コーナー補強片３６と竪枠補強枠３７とは、それぞれ上枠４ａ、竪枠６ａに取り付けた後に溶接する事もできる。何れにしても、前記各コーナー補強片３６と前記各竪枠補強枠３７、３７とを直角に連結した状態で、前記枠本体１６を補強している。
【００３６】
又、本例の場合には、前記スライドレール１７の長さ方向両側部分に、変位吸収部材４３をそれぞれ設けている。これら各変位吸収部材４３は、弾性を有するゴム製で、全体形状をブロック状（略直方体状）に構成している。そして、この様な変位吸収部材４３を、前記上枠４ａの基板部２８の両端寄り部分の上面に載置した状態で、前記スライドレール１７の端面（本体板部１８、屋内側の保持部１９ｂの一部、立壁部２１及び係合片２３ａ、２３ｂの各端面）と、前記上枠４ａの両端部に固定したコーナー補強片３６を構成する押付板部４０との間で、それぞれ挟持している。又、本例の場合には、前記各変位吸収部材４３の屋外側面を前記上枠４ａの補助壁３４の屋内側面に突き当てると共に、屋内側端部の下端部に形成した係合切り欠き４４を前記上枠４ａの屋内側突条３２に係合させる事で、前記各変位吸収部材４３の屋内外方向に関する位置決めを図っている。尚、前記各変位吸収部材４３は、接着等の固定手段により固定しても良いし、単に上記各部により挟持するだけでも良い。
【００３７】
以上の様な構成を有する本例の場合には、地震発生時に、建物躯体を構成する前記上階躯体８と前記下階躯体９とが層間変位した場合にも、前記窓装置１ａが破損する事を有効に防止できる。
即ち、本例の場合には、前記上枠４ａを、前記上階躯体８に固定した前記スライドレール１７に対して、その長さ方向に関する相対移動を可能に係合させている。この為、地震発生時に、前記上階躯体８と前記下階躯体９とが層間変位した場合に、前記上枠４ａを、前記スライドレール１７に対してその長さ方向に相対移動させる事で、この上枠４ａを、前記上階躯体８の動きには追従させずに、前記下階躯体９の動きにのみ追従させる事ができる。この為、前記上階躯体８と前記下階躯体９との層間変位に拘わらず、前記枠本体１６の全体形状を矩形枠状に維持できる。より具体的には、前記上階躯体８と前記下階躯体９との層間変位により、前記各側部躯体１０、１０の開口縁（側面）が、図１中に二点鎖線で示した様に鉛直方向に対して傾斜し、これら各側部躯体１０、１０と前記各竪枠６ａ、６ａ（又は竪枠補強枠３７、３７）とが当接するまでの間は、前記枠本体１６の全体形状を矩形枠状に維持できる。建物の耐震性確保の面から、前記各側部躯体１０、１０が、前記２点鎖線で示す程、大きく傾斜する事はない。従って、前記枠本体１６が破損する事を有効に防止できると共に、この枠本体１６の内側に建て込んだ前記各ガラス障子３ａ、３ｂの開閉動作が行えなくなったり、これら各ガラス障子３ａ、３ｂ（特にガラスパネル１５ａ、１５ｂ）が破損する事も有効に防止できる。尚、前記上枠４ａが前記スライドレール１７に対して相対移動する際に、この相対移動量（層間変位量）が余程大きくならない限り、この上枠４ａと前記上階躯体８との間部分に設けたシール４５は、その許容変形量の範囲で変形するだけで、損傷せずに済む。
【００３８】
又、本例の場合には、前記スライドレール１７を前記上枠４ａの内部に収納している為、この上枠４ａと前記下枠５ａとの間の開口寸法が小さくなる事を防止できる。この為、前記枠本体１６の開口部が狭くなる（開口面積が小さくなる）事を防止できる。又、前記スライドレール１７は、建物外部及び建物内部から目視できない為、このスライドレール１７を設けた事によって、前記窓装置１ａの意匠（デザイン）に影響を与える事もない。又、本例の場合には、前記スライドレール１７以外に、特に新たな部材を必要とせず、徒に構造を複雑化しなくて済む為、低コスト化を図れる。
【００３９】
又、前記スライドレール１７を構成する保持部１９ａ、１９ｂに、低摩擦材製の滑り材２４、２４を設けている為、前記スライドレール１７と前記上枠４ａとを滑らかに相対変位させる事ができる。この為、前記枠本体１６が歪む事を防止できて、この枠本体１６の全体形状を矩形枠状に維持し易くなる。又、相対変位する際の擦れ音等の異音が発生する事も防止できる。
【００４０】
又、前記各コーナー補助片３６と前記各竪枠補強枠３７、３７とにより、前記枠本体１６を補強している為、この枠本体１６の剛性を高める事ができる。この為、地震発生時に、前記上階躯体８と前記下階躯体９とが層間変位した場合にも、前記枠本体１６の角部を直角のまま維持して、この枠本体１６の全体形状を矩形状に維持できる。従って、この枠本体１６の破損防止の面から有利になると共に、前記各ガラス障子３ａ、３ｂの開閉動作及びこれら各ガラス障子３ａ、３ｂ自体の破損防止の面からも有利になる。
【００４１】
又、前記スライドレール１７の端面と、前記各コーナー補強片３６の押付板部４０との間で、ゴム製の変位吸収部材４３を挟持している為、地震発生時に、前記上枠４ａ（枠本体１６）と前記スライドレール１７とが相対変位する際に、前記各変位吸収部材４３を圧縮変形させる（押し潰す）事ができる。この為、前記枠本体１６と前記スライドレール１７との相対変位を減衰吸収できる。又、衝突音等の異音が発生する事も防止できる。
【００４２】
更に、本例の場合には、前記上枠４ａを前記スライドレール１７に対して地震の大きさに応じて有効に相対移動させる事ができる。即ち、これら上枠４ａとスライドレール１７との係合部分には、前記下枠５ａとこのスライドレール１７とを係合させるとした場合に加わる様な、前記枠本体１６及びこの枠本体１６の内側に建て込まれるガラス障子３ａ、３ｂ等の重量が加わらずに済む。この為、前記上枠４ａを前記スライドレール１７に対して地震の大きさに応じて有効に相対移動させる事ができる。又、前記各ガラス障子３ａ、３ｂに吹き付ける風等による風圧によって、前記上枠４ａが前記スライドレール１７（上階躯体８）に対して屋内外方向（面外方向）に変位する（がたつく）事を防止できる。更に、本例の場合には、前記上枠４ａの補助壁３４と前記スライドレール１７の立壁部２１とを当接乃至近接対向させている為、この面からも前記上枠４ａの屋内外方向に関するがたつきを防止できる。
【産業上の利用可能性】
【００４３】
前述した実施の形態の１例では、スライドレールを建物躯体のうちの上階躯体に対して固定し、このスライドレールに対して上枠を係合させる構造に就いて説明したが、本発明を実施する場合に、前記スライドレールを建物躯体のうちの下階躯体（下部躯体）に対して固定し、このスライドレールに対して下枠を係合させる構成を採用する事もできる。又、前記実施の形態の１例では、上階躯体と上枠との間部分及び下階躯体と下枠との間部分にモルタルを充填した構造、並びに、側部躯体と竪枠との間にロックウールを充填した構造に就いて説明したが、本発明は、この様な構造に限定されるものではない。即ち、これらモルタルやロックウールの充填は設計仕様によるもので、本発明を実施する上では、充填してもしなくても良い。
【００４４】
又、前記実施の形態の１例では、本発明を１対の引き違い式のガラス障子を組み込んだ窓枠装置（窓枠）に適用した場合に就いて説明したが、本発明はこの様な構造に限定されず、内側に建て込む建具の種類、数、構造等は問わない。例えば、１対の引き違い式のガラス障子を方立を挟んで複数建て込む構造や、片引き式の障子等の引戸、内開き戸又は外開き戸等の開き戸を建て込む構造にも適用できる。又、ガラスパネルを直接固定する固定式（ＦＩＸ窓）の構造にも適用できるし、更には、戸枠等にも適用できる。
【符号の説明】
【００４５】
１、１ａ  窓装置
２、２ａ  窓枠
３ａ、３ｂ  ガラス障子
４、４ａ  上枠
５、５ａ  下枠
６、６ａ  竪枠
７    開口部
８    上階躯体
９    下階躯体
１０    側部躯体
１１ａ、１１ｂ  上框
１２ａ、１２ｂ  下框
１３ａ、１３ｂ  召し合わせ框
１４ａ、１４ｂ  突き合わせ框
１５ａ、１５ｂ  ガラスパネル
１６    枠本体
１７    スライドレール
１８    本体板部
１９ａ、１９ｂ  保持部
２０ａ、２０ｂ  ガイド溝
２１    立壁部
２２    固定溝
２３ａ、２３ｂ  係合片
２４    滑り材
２５、２５ａ  アンカー
２６、２６ａ  モルタル
２７ａ、２７ｂ  上部案内レール
２８    基板部
２９    収納空間
３０    屋外側壁
３１    屋内側壁
３２    屋内側突条
３３    屋外側突条
３４    補助壁
３５    固定溝
３６    コーナー補強片
３７    竪枠補強枠
３８    塞ぎ板部
３９ａ、３９ｂ  取付板部
４０    押付板部
４１、４１ａ  ねじ
４２    ロックウール
４３    変位吸収部材
４４    係合切り欠き
４５    シール
４６    隙間
【図１】
0005487156.tif 000002
【図２】
0005487156.tif 000003
【図３】
0005487156.tif 000004
【図４】
0005487156.tif 000005
【図５】
0005487156.tif 000006
【図６】
0005487156.tif 000007
【図７】
0005487156.tif 000008
【図８】
0005487156.tif 000009
【図９】
0005487156.tif 000010
【図１０】
0005487156.tif 000011